(57)【要約】【課題】  本発明は、ＷＬＡＮシステムにおけるハンドオーバ遂行に必要な時間を短縮させる移動端末装置及びハンドオーバ遂行方法を提供する。【解決手段】  本発明に係る移動端末装置は、データチャンネルを用いて一つの無線アクセスポイントの信号を受信する第１受信部２１０と、制御チャンネルを順次用いて無線アクセスポイントの信号を受信する第２受信部２２０と、第２受信部２２０から受信した無線アクセスポイントの信号を一定の大きさの順に整列格納するメモリ２２４と、データチャンネルを用いて受信した信号の大きさが設定値より小さい場合には、格納した無線アクセスポイントを順次探索することで、ハンドオーバを遂行すべき無線アクセスポイントを決定するように指示する制御部２００と、を備える。【選択図】      図２
2006020331.tif 000002
【特許請求の範囲】
【請求項１】
移動端末装置と、固有の無線資源を用いて前記移動端末装置と通信を行う少なくとも２つの無線アクセスポイントとを含む無線ローカルエリアシステムにおける前記移動端末装置のハンドオーバ遂行方法において、
前記移動端末装置が、第１無線資源を用いて無線アクセスポイントと信号を送受信し、第２無線資源を順次用いて無線アクセスポイントの信号を受信する段階と、
前記移動端末装置が、前記第２無線資源を用いて受信した無線アクセスポイントの信号を一定の大きさの順に整列して格納する段階と、
前記移動端末装置が、前記第１無線資源を用いて受信した信号の大きさが設定値より小さい場合に前記格納した無線アクセスポイントを順次探索することで、ハンドオーバを遂行すべき無線アクセスポイントを決定する段階と、
を含むことを特徴とするハンドオーバ遂行方法。
【請求項２】
前記無線アクセスポイントの信号を受信する段階は、無線アクセスポイントで使用する固有の無線資源を順次探索して受信することを特徴とする請求項１に記載のハンドオーバ遂行方法。
【請求項３】
前記移動端末装置は、設定の時間間隔に従い、前記無線アクセスポイントの信号を受信する活性モードと、前記無線アクセスポイントの信号の受信を中断する休みモードとに交互に切り替える動作を行うことを特徴とする請求項１または請求項２に記載のハンドオーバ遂行方法。
【請求項４】
前記ハンドオーバを遂行すべき無線アクセスポイントを決定する段階は、前記第２無線資源を用いて受信した信号の受信状態と、前記第１無線資源の受信状態とを比較し、前記第１無線資源の受信状態より良好な受信状態を持つ第２無線資源を用いる無線アクセスポイントを選択する段階を含むことを特徴とする請求項１から請求項３の何れか１項に記載のハンドオーバ遂行方法。
【請求項５】
前記良好な受信状態は、前記第２無線資源の信号強さが前記第１無線資源の信号強さより一定の値以上強い状態であることを特徴とする請求項４に記載のハンドオーバ遂行方法。
【請求項６】
前記格納の無線アクセスポイントの中でハンドオーバを遂行すべき無線アクセスポイントが決定されない場合に、前記未格納の無線アクセスポイントの中でハンドオーバを遂行すべき無線アクセスポイントを決定する段階をさらに含むことを特徴とする請求項１から請求項４の何れか１項に記載のハンドオーバ遂行方法。
【請求項７】
前記第１無線資源はデータチャンネルであり、前記第２無線資源は制御チャンネルであることを特徴とする請求項１から請求項６の何れか１項に記載のハンドオーバ遂行方法。
【請求項８】
少なくとも２つの無線アクセスポイントと、固有の無線資源とを用いて通信を行う移動端末装置において、
第１無線資源を用いて一つの無線アクセスポイントの信号を受信する第１受信部と、
第２無線資源を順次用いて無線アクセスポイントの信号を受信する第２受信部と、
前記第２受信部から受信した無線アクセスポイントの信号を一定の大きさの順に整列して格納するメモリと、
前記第１無線資源を用いて受信した信号の大きさが設定値より小さい場合に、格納した無線アクセスポイントを順次探索することで、ハンドオーバを遂行すべき無線アクセスポイントを決定するように指示する制御部と、
を備えることを特徴とする移動端末装置。
【請求項９】
前記第２受信部は、前記無線アクセスポイントで用いる無線資源を順次受信するために、前記第２無線資源の周波数を変更することを特徴とする請求項８に記載の移動端末装置。
【請求項１０】
前記制御部は、設定の時間間隔に従い、前記無線アクセスポイントの信号を受信する活性モードと、前記無線アクセスポイントの信号受信を中断する休みモードとに交互に変更するように、前記第２受信部を制御することを特徴とする請求項８または請求項９に記載の移動端末装置。
【請求項１１】
前記制御部の指示に従い、前記第１無線資源の受信状態と、格納した各無線アクセスポイントで用いる第２無線資源の受信状態とを順次比較する比較部をさらに備えることを特徴とする請求項８から請求項１０の何れか１項に記載の移動端末装置。
【請求項１２】
前記制御部は、前記第１無線資源の受信状態より良好な受信状態を持つ第２無線資源を用いる無線アクセスポイントでハンドオーバを遂行することを特徴とする請求項８から請求項１１の何れか１項に記載の移動端末装置。
【請求項１３】
前記良好な受信状態は、前記第２無線資源の信号強さが前記第１無線資源の信号強さより一定の値以上強い状態であることを特徴とする請求項１２に記載の移動端末装置。
【請求項１４】
前記制御部は、前記格納した無線アクセスポイントの中でハンドオーバを遂行すべき無線アクセスポイントが決定されない場合に、未格納の無線アクセスポイントの中でハンドオーバを遂行すべき無線アクセスポイントを決定することを特徴とする請求項８から請求項１２の何れか１項に記載の移動端末装置。
【請求項１５】
前記第１無線資源はデータチャンネルであり、前記第２無線資源は制御チャンネルであることを特徴とする請求項８から請求項１４の何れか１項に記載の移動端末装置。
【発明の詳細な説明】
【技術分野】
【０００１】
本発明は無線ローカルエリアネットワークに関し、より詳しくは、無線ローカルエリアネットワーク内で迅速なハンドオーバを遂行する移動端末装置及びハンドオーバ遂行方法に関する。
【背景技術】
【０００２】
無線ローカルエリアネットワーク(Ｗｉｒｅｌｅｓｓ  Ｌｏｃａｌ  Ａｒｅａ  Ｎｅｔｗｏｒｋ：ＷＬＡＮ)は、建物や学校内で用いる有線ローカルエリアネットワーク(ＬＡＮ)の短所を克服するための方案として登場したデータ通信システムである。ＷＬＡＮは、無線周波数(Ｒａｄｉｏ  Ｆｒｅｑｕｅｎｃｙ：ＲＦ)技術を用いることで、最小限の回線連結だけでデータのやりとりが可能である。このように、ＷＬＡＮは、簡単な設備だけでユーザーが自由に移動しながらデータのやりとりが可能である。言わば「動くネットワーク」が可能である。
【０００３】
ＷＬＡＮは、所定の領域(以下「セル：ｃｅｌｌ」という。)においてデータの送受信を行う無線アクセスポイント(Ａｃｃｅｓｓ  Ｐｏｉｎｔ：ＡＰ)を少なくとも１つ備える。このＷＬＡＮにおいて、セル間を移動する移動端末装置が途切れなく通信することは非常に重要である。このために、あるＡＰから別のＡＰに通信に対する遂行手順を手渡すことをハンドオーバ(Ｈａｎｄｏｖｅｒ)という。ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)では、ＡＰ間の通信及びハンドオーバのためのプロトコル(Ｉｎｔｅｒ-Ａｃｃｅｓｓ  Ｐｏｉｎｔ  Ｐｒｏｔｏｃｏｌ：ＩＡＰＰ)を定義している。ハンドオーバのために移動端末装置とＡＰは多くの信号メッセージを互いに交換すべきであるが、これは、データの送受信の遅延の一要因となって通話品質に悪い影響を及ぼす。よって、無線通信環境でハンドオーバを効率よく行うための様々な技術が研究されている。
【０００４】
図１は通常のＷＬＡＮ環境を示す図である。図１に示すように、通常のＷＬＡＮは、第１のＡＰ１１０及び第１のＡＰ１１０と無線通信を行うノート型パソコンやＰＤＡなどのような移動端末装置１００からなる。第１のＡＰ１１０は、移動端末装置１００を使用するユーザーがインターネットなどを自由に使用できるように、有線ＬＡＮと無線ＬＡＮを連結させる機能を働く。第１のＡＰ１１０は、内部環境では２０〜３０ｍ、外部環境では１００〜１５０ｍ程度の通信範囲を持つ。
【０００５】
図１は移動端末装置１００が第１のＡＰ１１０から第２のＡＰ１１２にハンドオーバを遂行することを示す。一般に、移動端末装置１００のハンドオーバ遂行には６０〜２００ｍｓが必要である。ハンドオーバの遂行過程は、概略的に移動端末装置１００が新たなＡＰを探すスキャニング(ｓｃａｎｎｉｎｇ)段階、認証(ａｕｔｈｅｎｔｉｃａｔｉｏｎ)段階及び協約(ａｓｓｏｃｉａｔｉｏｎ)段階からなる。スキャニング段階は、パッシブスキャニング(ｐａｓｓｉｖｅ  ｓｃａｎｎｉｎｇ)方式やアクティブスキャニング(ａｃｔｉｖｅ  ｓｃａｎｎｉｎｇ)方式により行われる。パッシブスキャニングは、移動端末装置１００がＷＬＡＮシステムで使用するチャンネルの一つを選択する。移動端末装置１００は、この選択したチャンネルを介してＡＰ探索のための信号が受信されるか否かを判断する。移動端末装置１００は受信された信号を介してＡＰをスキャニングする。もしも、選択したチャンネルを介して設定時間の間に信号が受信されないと、移動端末装置１００は他のチャンネルを選択して同様な動作を行う。
【０００６】
アクティブスキャニングは、移動端末装置１００が選択したチャンネルを使用しているＡＰに対し、応答を要請してスキャニングする方式をいう。即ち、移動端末装置１００は、複数個のチャンネルの一つを選択し、選択したチャンネルを使用しているＡＰを探索する。このとき、パッシブスキャニングとは異なり、移動端末装置１００は選択したチャンネルを使用しているＡＰに対して応答を要請する。よって、移動端末装置１００は一定時間(ＭｉｎＣｈａｎｎｅｌ  Ｔｉｍｅ)の間に要請に対する応答が受信されるか否かを判断する。一定時間の間に要請に対する応答が受信されると、一定時間(ＭａxＣｈａｎｎｅｌ  Ｔｉｍｅ)もっと待って同チャンネルを使用している他のＡＰがあるか否かを判断する。しかし、一定時間(ＭｉｎＣｈａｎｎｅｌ  Ｔｉｍｅ)の間に要請に対する応答が受信されないと、他のチャンネルを選択し、この選択したチャンネルに対する同様な動作を行う。このような過程にて進行されるスキャニング段階は、ハンドオーバに必要な全体時間の９０％を占める。
【０００７】
現在、８０２.１１標準は移動端末装置が同時に二つのＡＰと連結することを禁止している。よって、移動端末装置は、ハンドオーバを遂行するために、現在通信中であるＡＰとの連結を中断後、新たにＡＰを探索する。従って、移動端末装置のハンドオーバ遂行過程において、所定時間の間に通信の途切れが発生するという問題点があった。
【発明の開示】
【発明が解決しようとする課題】
【０００８】
前記問題点を解決するために、本発明の目的はＷＬＡＮシステムにおけるハンドオーバ遂行に必要な時間を短縮させる移動端末装置及びハンドオーバ遂行方法を提供することにある。
【０００９】
本発明の他の目的は、ＷＬＡＮシステムにおける通信の途切れなくハンドオーバを遂行する移動端末装置及びハンドオーバ遂行方法を提供することにある。
【課題を解決するための手段】
【００１０】
前記目的を達成するために本発明に係るハンドオーバ遂行方法は、移動端末と、固有の無線資源を用いて前記移動端末と通信を行う少なくとも２つの無線アクセスポイント(ＡＰ)とを含む無線ローカルエリアシステムにおける前記移動端末のハンドオーバ遂行方法において、第１無線資源を用いて無線ＡＰと信号を送受信し、第２無線資源を順次用いて無線ＡＰの信号を受信する段階と、前記第２無線資源を用いて受信した無線ＡＰの信号を一定の大きさの順に整列格納する段階と、前記第１無線資源を用いて受信した信号の大きさが設定値より小さいと、前記格納のＡＰを順次探索することで、ハンドオーバを遂行すべきＡＰを決定する段階と、を含む。
【００１１】
好ましくは、前記無線ＡＰの信号を受信する段階は、無線ＡＰで使用する固有の無線資源を順次探索して受信することができる。
【００１２】
より好ましくは、前記移動端末は、設定の時間間隔に従い、前記無線ＡＰの信号を受信する活性モードと、前記無線ＡＰの信号受信を中断する休みモードとに交互に切替動作を行うことができる。
【００１３】
また、前記ハンドオーバを遂行すべきＡＰを決定する段階は、前記第２無線資源を用いて受信した信号の受信状態と、前記第１無線資源の受信状態とを比較し、前記第１無線資源の受信状態より良好な受信状態を持つ第２無線資源を用いる無線ＡＰを選択する段階を含むことができる。
【００１４】
この場合、前記第１無線資源の受信状態より良好な受信状態は、前記第１無線資源の一定の信号強さ＋β以上の信号強さを有する受信状態であることが好ましい。
【００１５】
好ましくは、前記格納のＡＰの中でハンドオーバを遂行すべきＡＰが決定されないと、前記未格納のＡＰの中でハンドオーバを遂行すべきＡＰを決定する段階をさらに含むことができる。
【００１６】
以上のようなハンドオーバ遂行方法において、前記第１無線資源はデータチャンネルであり、第２無線資源は制御チャンネルである。
【００１７】
一方、本発明に係る移動端末装置は、少なくとも２つの無線アクセスポイント(ＡＰ)と、固有の無線資源とを用いて通信を行う移動端末装置は、第１無線資源を用いて一つの無線ＡＰの信号を受信する第１受信部と、第２無線資源を順次用いて無線ＡＰの信号を受信する第２受信部と、前記第２受信部から受信した無線ＡＰの信号を一定の大きさの順に整列格納するメモリと、前記第１無線資源を用いて受信した信号の大きさが設定値より小さいと、格納のＡＰを順次探索することで、ハンドオーバを遂行すべきＡＰを決定するように指示する制御部とを含む。
【００１８】
好ましくは、前記第２受信部は、前記無線ＡＰで用いる無線資源を順次受信するために、前記第２無線資源の周波数を変更することができる。
【００１９】
より好ましくは、前記制御部は、設定の時間間隔に従い、前記無線ＡＰの信号を受信する活性モードと、無線ＡＰの信号受信を中断する休みモードとに交互に変更するように、前記第２受信部を制御することができる。
【００２０】
また、前記移動端末は、前記制御部の指示に従い、前記第１無線資源の受信状態と、格納の各ＡＰで用いる第２無線資源の受信状態とを順次比較する比較部をさらに含むことができる。
【００２１】
これにより、前記制御部は、前記第１無線資源の受信状態より良好な受信状態を持つ第２無線資源を用いる無線ＡＰでハンドオーバを遂行することができる。
【００２２】
なお、前記第１無線資源の受信状態より良好な受信状態は、前記第１無線資源の信号強さ＋β以上の信号強さを有する受信状態であることが好ましい。
【００２３】
好ましくは、前記制御部は、前記格納のＡＰの中でハンドオーバを遂行すべきＡＰが決定されないと、前記未格納のＡＰの中でハンドオーバを遂行すべきＡＰを決定することができる。前記移動端末において、前記第１無線資源はデータチャンネルであり、第２無線資源は制御チャンネルである。
【発明の効果】
【００２４】
従来は一つのチャンネルのみを用いてハンドオーバを遂行することで、通信の途切れを招いたのに対して、本発明は、ハンドオーバを遂行すべきチャンネルを提案することで通信の途切れがない。また、ハンドオーバが可能なＡＰの中で一つを選択してハンドオーバを遂行することで、ハンドオーバに必要な時間を短縮させることができる。
【発明を実施するための最良の形態】
【００２５】
以下、添付図面に基づき、本発明の好適な実施形態を詳細に説明する。
本発明は、現在のＡＰからデータを受信する第１受信器と、隣接のＡＰが転送した信号(ＡＰ探索のための信号)を受信する第２受信器とからなる移動端末装置を提案する。即ち、移動端末装置は、既存チャンネル(データチャンネル)ではデータのみを送受信し、新しく提案する制御チャンネルではＡＰ探索のための信号を受信する。
【００２６】
図２は本実施形態に係る移動端末装置の構造を示す。図２に示すように、移動端末装置は、第１受信部２１０、第２受信部２２０、信号処理部２１２、信号処理部２２２、信号処理部２３０、比較部２１４、メモリ２２４、制御部２００及び送信部２３２を備える。これら構成以外の構成が移動端末装置に含まれることは勿論である。
【００２７】
第１受信部２１０は通信中であるＡＰからデータチャンネルを介してデータを受信する。第２受信部２２０は制御チャンネルを介して隣接のＡＰが転送するＡＰ探索のための信号を受信する。また、第２受信部２２０は制御チャンネルの周波数を変更することにより制御チャンネルを介して種々の隣接したＡＰが転送するＡＰ探索のための信号を受信する。従来の移動端末装置は、データチャンネルを介してデータとＡＰ探索のための信号とを受信した。すなわち、ＡＰ探索のための信号を受信する必要がある場合、データの受信を中断し、データチャンネルを用いてＡＰ探索のための信号を受信した。しかし、本実施形態に係る移動端末装置は、二つの受信部（第１受信部２１０と第２受信部２２０）からなり、データとＡＰ探索のための信号とを各々の受信部を用いて受信する方法を提案する。
【００２８】
信号処理部２１２は、第１受信部２１０から伝達されたデータを処理し、処理したデータを制御部２００と比較部２１４に伝達する。信号処理部２２２は、第２受信部２２０から伝達されたデータを処理し、処理した結果をメモリ２２４に格納する。メモリ２２４に格納される情報については後述する。信号処理部２２２は、処理したデータを制御部２００と比較部２１４に伝達する。
【００２９】
制御部２００は、信号処理部２１２から伝達されたデータを用いて無線チャンネルの状態を分析する。この分析結果により無線チャンネルの状態が良好であれば、現在通信中であるＡＰからデータの受信を継続する。これに対し、無線チャンネルの状態が不良であれば、制御部２００はハンドオーバ遂行のための動作を開始する。制御部２００はメモリ２２４に格納されている情報(ＡＰ目録)を用いてハンドオーバを遂行すべきＡＰを決定する。
【００３０】
比較部２１４は、現在通信中であるＡＰの無線チャンネル状態と、メモリ２２４に格納されているＡＰの無線チャンネル状態とを順次比較する。この比較結果により現在通信中であるＡＰの無線チャンネル状態より良好な無線チャンネル状態を持つＡＰがあれば、そのＡＰに対する情報を制御部２００に伝達する。
【００３１】
信号処理部２３０は、制御部２００から伝達されたデータ(ＡＰに転送すべきデータ)を処理する。信号処理部２３０での動作は信号処理部２１２での動作の逆である。すなわち、信号処理部２３０は、制御部２００から伝達されたデータを第１受信部２１０から伝達されたデータに戻す。そして、信号処理部２３０は、元に戻したデータを送信部２３２に伝達する。送信部２３２は、信号処理部２３０で処理した信号を無線上で転送する。
【００３２】
図３は本実施形態に係る移動端末装置の第２受信部の動作時期を示す。図３に示すように、第２受信部２２０は二つのモードを持つ。二つのモードは、隣接のＡＰをスキャニングする活性モード及びスキャニングを中断する休みモードである。活性モードは速いスキャニングモードと全体スキャニングモードとに分けられる。速いスキャニングモードにおいて移動端末装置は特定のＡＰのみに対してスキャニングを行い、全体スキャニングモードにおいて移動端末装置はすべての隣接したＡＰをスキャニングする。図３に示すように、移動端末装置は活性モードの各モードと休みモードとの間のモード遷移を行う。
【００３３】
以下、メモリ２２４に格納される情報について説明する。移動端末装置の第２受信部２２０は隣接したＡＰが転送するＡＰ探索のための信号を受信する。受信した信号を用いて隣接したＡＰの無線チャンネル状態を認知し、無線チャンネル状態によって隣接したＡＰを分類する。一般に、移動端末装置は隣接したＡＰを三つに分類するが、これは候補ＡＰ(Ｃａｎｉｄａｔｅ  ＡＰ)、モニターＡＰ(ｍｏｎｉｔｏｒｅｄ  ＡＰ)及び検出ＡＰ(Ｄｅｔｅｃｔｅｄ  ＡＰ)である。候補ＡＰは常にハンドオーバの遂行が可能なＡＰであり、モニターＡＰはある程度の信号状態が収集されたＡＰであり、検出ＡＰは単純に信号のみが感知されたＡＰである。下記の表１は移動端末装置のメモリ２２４に格納されるＡＰ目録の一例を示す。
【００３４】
【表１】
2006020331.tif 000003
【００３５】
上記表１によれば、候補ＡＰはＡＰ１、ＡＰ３、モニターＡＰはＡＰ４、検出ＡＰはＡＰ５である。移動端末装置は同じ候補ＡＰであっても一定の順序によって優先順位が定められる。すなわち、同じ候補ＡＰであっても無線チャンネルの状態(受信信号の強さ)を考慮して優先順位が定められる。
【００３６】
移動端末装置は上記表１を設定時間ごとに更新する。移動端末装置は上記表１をイベントの発生ごとに更新できる。イベントは、移動端末装置がハンドオーバを遂行する場合や、移動端末装置の電源をオンした場合などを含む。設定時間はユーザーが任意に調節できる。しかし、設定時間を非常に短く設定する場合、移動端末装置の電力消耗が増加するという問題点がある。
【００３７】
再度、図３を用いて説明すれば、移動端末装置の第２受信部２２０は休みモードを保持する。移動端末装置の第２受信部２２０は設定時間ごとに活性モードをモード遷移する。一般に、第２受信部２２０は活性モードの全体スキャニングモードに遷移する。第２受信部２２０は、全体スキャニングモードにおいて、隣接のＡＰに対するスキャニングを行い、そのスキャニング結果を用いて上記表１を更新する。
【００３８】
図４は移動端末装置のメモリに格納される隣接のＡＰを区分する基準を示す。図４に示すように、ユーザーは第１閾値ＴＨ1と第２閾値ＴＨ2を設定する。候補ＡＰのチャンネル状態を示す数値は第１閾値ＴＨ1を超過し、検出ＡＰのチャンネル状態を示す数値は第２閾値ＴＨ2以下であり、モニターＡＰのチャンネル状態を示す数値は第１閾値ＴＨ1及び第２閾値間ＴＨ2の値である。図４に示すように、隣接のＡＰは時間の経過に従って状態が変更される。ＡＰAは時間の経過に従って候補ＡＰからモニターＡＰ、検出ＡＰに状態が変更され、ＡＰBは時間の経過に従って検出ＡＰ、モニターＡＰ、候補ＡＰに状態が変更され、ＡＰCは検出ＡＰ状態を保持する。移動端末装置の第２受信部２２０がＴ1時点で隣接のＡＰを分類すれば、ＡＰA、ＡＰBは候補ＡＰとなり、ＡＰCは検出ＡＰとなる。
【００３９】
図５は移動端末装置がハンドオーバを遂行するか否かを決定する時点を示す。移動端末装置は第１受信部２１０で受信した信号のチャンネル状態を分析する。チャンネル状態は、受信した信号の強さを利用し、または受信した信号の電力量を利用する。移動端末装置は第１受信部２１０で受信した信号の強さと第３閾値ＴＨ3とを比較する。この比較結果により、受信した信号の強さが第３閾値ＴＨ3以下であれば、ハンドオーバのための動作を行う。移動端末装置はすべての隣接のＡＰに対してスキャニングをせず、上記表１に記載のＡＰに限ってスキャニング過程を行う。スキャニング動作を短縮するために、移動端末装置は各ＡＰに対する情報を詳細に格納することができる。下記表２は移動端末装置のメモリ２２４に格納する情報の一例を示す。
【００４０】
【表２】
2006020331.tif 000004
【００４１】
上記表２は、隣接のＡＰ及び隣接のＡＰで用いるチャンネル情報を示す。移動端末装置のメモリ２２４は、チャンネル情報以外に各ＡＰで受信した信号の強さを格納することができる。こうして、移動端末装置はハンドオーバの遂行に必要な時間を短縮させることができる。
【００４２】
図６は本実施形態に係る移動端末装置におけるハンドオーバの遂行動作を示す。以下、図６を参照して本実施形態に係る移動端末装置におけるハンドオーバの遂行動作について詳細に説明する。
【００４３】
移動端末装置は、第１受信部２１０から受信される信号の強さが第３閾値ＴＨ3以下であれば、ハンドオーバのための動作を行う。
ステップ６００において、移動端末装置はメモリ２２４に格納されているＡＰに候補ＡＰがあるか否かを判断する。この判断結果により、候補ＡＰがあると判断すれば（ステップＳ６００において「Ｙｅｓ」）、ステップＳ６０２に移動し、候補ＡＰがないと判断すれば（ステップＳ６００において「Ｎｏ」）、ステップＳ６０６に移動する。
ステップＳ６０２において、移動端末装置は、候補ＡＰの信号の強さ(第２受信部２２０で受信した信号の強さ)と、現在のチャンネルの信号の強さ(第１受信部２１０で受信した信号の強さ)とを比較する。前述したように、移動端末装置は現在のチャンネルと途切れなくハンドオーバを行う。この比較結果により、候補ＡＰの信号の強さが現在のチャンネルの信号の強さより大きいと判断すれば（ステップＳ６０２において「Ｙｅｓ」）ステップＳ６０８に移動し、候補ＡＰの信号の強さが現在のチャンネルの信号の強さより大きくないと判断すれば（ステップＳ６０２において「Ｎｏ」）ステップＳ６０４に移動する。
【００４４】
ステップＳ６０２は、候補ＡＰの信号の強さと現在のチャンネルの信号の強さとを比較することに限って示しているが、これに限るものではない。すなわち、ピンポン現像を防止するために、候補ＡＰの信号の強さと現在のチャンネルの信号の強さ+αを比較することができる。
【００４５】
ステップＳ６０４において、移動端末装置は比較していない候補ＡＰがあるか否かを判断する。この判断結果により、比較していない候補ＡＰがあると判断すれば（ステップＳ６０４において「Ｙｅｓ」）、ステップＳ６０２に移動し、比較していない候補ＡＰがないと判断すれば（ステップＳ６０４において「Ｎｏ」）、ステップＳ６０６に移動する。
【００４６】
ステップＳ６０６において、移動端末装置はメモリ２２４に格納されているＡＰにモニターＡＰがあるか否かを判断する。この判断結果により、モニターＡＰがあると判断すれば（ステップＳ６０６において「Ｙｅｓ」）、ステップＳ６１０に移動し、モニターＡＰがないと判断すれば（ステップＳ６０６において「Ｎｏ」）、ステップＳ６１４に移動する。
ステップＳ６１０において、移動端末装置は、モニターＡＰの信号の強さと現在のチャンネルの信号の強さとを比較する。この比較結果により、モニターＡＰの信号の強さが現在のチャンネルの信号の強さより大きいと判断すれば（ステップＳ６１０において「Ｙｅｓ」）、ステップＳ６０８に移動し、モニターＡＰの信号の強さが現在のチャンネルの信号の強さより大きくないと判断すれば（ステップＳ６１０において「Ｎｏ」）、ステップＳ６１２に移動する。ステップＳ６１０は、ピンポン現像を防止するために、モニターＡＰの信号の強さと現在のチャンネルの信号の強さ+βを比較することができる。
【００４７】
ステップＳ６１２において、移動端末装置は比較していないモニターＡＰがあるか否かを判断する。この判断結果により、比較していないモニターＡＰがあると判断すれば（ステップＳ６１２において「Ｙｅｓ」）、ステップＳ６１０に移動し、比較していない候補ＡＰがないと判断すれば（ステップＳ６１２において「Ｎｏ」）、ステップＳ６１４に移動する。
【００４８】
ステップＳ６１４において、移動端末装置はメモリ２２４に格納されているＡＰに検出ＡＰがあるか否かを判断する。この判断結果により、検出ＡＰがあると判断すれば（ステップＳ６１４において「Ｙｅｓ」）、ステップＳ６１６に移動し、検出ＡＰがないと判断すれば（ステップＳ６１４において「Ｎｏ」）、ステップＳ６２０に移動する。
Ｓ６１６段階において、移動端末装置は、検出ＡＰの信号の強さと現在のチャンネルの信号の強さとを比較する。この比較結果により、検出ＡＰの信号の強さが現在のチャンネルの信号の強さより大きいと判断すれば（ステップＳ６１６において「Ｙｅｓ」）、ステップＳ６０８に移動し、検出ＡＰの信号の強さが現在のチャンネルの信号の強さより大きくないと判断すれば（ステップＳ６１６において「Ｎｏ」）、ステップＳ６１８に移動する。ステップＳ６１６は、ピンポン現像を防止するために、検出ＡＰの信号の強さと現在のチャンネルの信号の強さ+δを比較することができる。
【００４９】
ステップＳ６１８において、移動端末装置は比較していない検出ＡＰがあるか否かを判断する。この判断結果により、比較していない検出ＡＰがあると判断すれば（ステップＳ６１８において「Ｙｅｓ」）、ステップＳ６１６段階に移動し、比較していない検出ＡＰがないと判断すれば（ステップＳ６１８において「Ｎｏ」）、ステップＳ６２０に移動する。
【００５０】
移動端末装置は、ステップＳ６０８においてハンドオーバを遂行し、ステップＳ６２０において全体スキャニングを行う。本発明は、ハンドオーバの遂行のためにまず速いスキャニング過程を行う。速いスキャニング過程によってハンドオーバを遂行すべきＡＰがスキャニングされない場合、全体スキャニング過程によってハンドオーバを遂行すべきＡＰをスキャニングする。
【００５１】
移動端末装置は、全体スキャニング過程によって隣接のＡＰをスキャニングし、前記スキャニングされたＡＰの中でハンドオーバを遂行すべきＡＰを決定する。
【００５２】
以上では、本発明の好適な実施形態について図示し説明したが、本発明は、前述した実施形態に限定せず、特許請求の範囲の記載に基づいて判断しなければならない。
【図面の簡単な説明】
【００５３】
【図１】一般の無線ローカルエリアネットワークの構造を示す図である。
【図２】本実施形態に係る移動端末装置の構造を示す図である。
【図３】本実施形態に係る移動端末装置の動作モードを示す図である。
【図４】移動端末装置で受信できる信号の大きさによる分類例を示す図である。
【図５】本実施形態に係る移動端末装置における速いスキャニングを行う時点を示す図である。
【図６】本実施形態に係る移動端末装置におけるハンドオーバの遂行過程を示す図である。
【符号の説明】
【００５４】
２００  制御部
２１０  第１受信部
２２０  第２受信部
２１２、２２２、２３０  信号処理部
２１４  比較部
２２４  メモリ
２３２  送信部
【図１】
2006020331.tif 000005
【図２】
2006020331.tif 000006
【図３】
2006020331.tif 000007
【図４】
2006020331.tif 000008
【図５】
2006020331.tif 000009
【図６】
2006020331.tif 000010